(57)【要約】【課題】従来のものよりも更に種々の陳列形態の陳列面を形成できると共に、陳列商品を前後方向あるいは左右方向にきめ細かに区画できる商品陳列台を提供すること。【解決手段】矩形状の商品陳列面１１と、商品陳列面１１に前後方向に所定のピッチで複数形成される横溝１２と、左右両側縁部に形成される縦溝１３と、下端にベース板２の第１係合部２４に回動自在に係合する第２係合部１５を有する陳列基板１と、陳列基板１の第２係合部１５と係合する第１係合部２４を上面に備えるベース板２と、一端が陳列基板１の裏面の所定位置に着脱自在に嵌合し、他端が設置面に接地して陳列基板１の前方下り傾斜の陳列姿勢を支持する脚部３とを備える商品陳列台１０ａ。【選択図】図１
0003120729.tif 000002
【実用新案登録請求の範囲】
【請求項１】
矩形状の商品陳列面と、該商品陳列面に前後方向に所定のピッチで複数形成される横溝と、左右両側縁部に形成される縦溝と、下端にベース板の第１係合部に回動自在に係合する第２係合部を有する陳列基板と、
該陳列基板の第２係合部と係合する第１係合部を上面に備えるベース板と、
一端が該陳列基板の裏面の所定位置に着脱自在に嵌合し、他端が設置面に接地して該陳列基板の前方下り傾斜の陳列姿勢を支持する脚部とを備えることを特徴とする商品陳列台。
【請求項２】
前記横溝に、陳列商品を前後に仕切る商品仕切り板を、更に設置してなることを特徴とする請求項１記載の商品陳列台。
【請求項３】
前記左右両側縁部の縦溝の一方又は双方に、陳列商品を左右に仕切る商品仕切り板を、更に設置してなることを特徴とする請求項１又は２記載の商品陳列台。
【請求項４】
前記陳列基板に着脱自在に設置される、外形が略三角柱であって、横置きで使用される補助陳列台を、更に備えることを特徴とする請求項１〜３のいずれか１項記載の商品陳列台。
【請求項５】
前記補助陳列台の商品陳列面に、左右方向に所定のピッチで複数形成される、三角形の頂点から所定の深さに切られた縦溝を、更に有することを特徴とする請求項１〜４のいずれか１項記載の商品陳列台。
【請求項６】
前記陳列基板の縦溝の左右方向における外側又は内側には、該縦溝の底面と連続する係り止め底面を有し、該係り止め底面から上方に延びる前方縦部材と、該前方縦部材の上方から後方へ延びる水平部材とからなる側面視が横Ｌ字形状の第１係り止め部が、前後方向に所定のピッチで複数、形成されていることを特徴とする請求項１〜５のいずれか１項記載の商品陳列台。
【請求項７】
前記補助陳列台の両側端の外側には、前記第１係り止め部と係合する第２係り止め部材が、前後方向に所定のピッチで複数形成されていることを特徴とする請求項６記載の商品陳列台。
【請求項８】
前記補助陳列台は、枠体構造であって、その左右の側枠の内側には、前記第１係り止め部と係合する第２係り止め部材が、前後方向に所定のピッチで複数形成されていることを特徴とする請求項６記載の商品陳列台。
【請求項９】
前記補助陳列台の該陳列基板への設置が、該補助陳列台の第２係り止め部を、該第１係り止め部と、該第１係り止め部に隣接する他の第１係り止め部との間の開口から入れ込み、更に前方へ移動して、該横Ｌ字形状の内側に入れるものであることを特徴とする請求項６〜８のいずれか１項記載の商品陳列台。
【請求項１０】
前記ベース板と前記脚部は、略同じ厚さの板状物であって、前記脚部が該陳列基板から外され、該陳列基板が後方に倒され、該脚部を該陳列基板と該設置面の間に配設して、該陳列基板を水平姿勢に支持し、水平な商品陳列面を形成することを特徴とする請求項１〜９のいずれか１項記載の商品陳列台。
【請求項１１】
前記ベース板は、略矩形状であって、第１係合部を前後方向の中央よりやや後方又はやや前方に設置して、該第１係合部より前方のベース板面を商品陳列面とすること特徴とする請求項１〜１０のいずれか１項記載の商品陳列台。
【請求項１２】
複数台を左右に並べて設置することを特徴とする請求項１〜１１のいずれか１項記載の商品陳列台。
【考案の詳細な説明】
【技術分野】
【０００１】
本考案は、スーパーや百貨店などで使用され、様々な形状の商品を、多様な角度の陳列面で陳列することができる商品陳列台に関するものである。
【背景技術】
【０００２】
従来、スーパーや百貨店などで使用される商品陳列台としては、陳列面が固定された商品陳列台や種々の形態の陳列面を形成できる商品陳列台が使用されている。種々の形態の陳列面を形成できる商品陳列台は、陳列商品の形状に合せたり、陳列場の模様替えなどにも柔軟に対応でき都合がよい。
【考案の開示】
【考案が解決しようとする課題】
【０００３】
しかしながら、従来の種々の形態の陳列面を形成できる商品陳列台であっても、未だ十分であるとは言えず、更に種々の陳列形態の陳列面を形成できる商品陳列台の開示が望まれていた。また、陳列商品を前後方向あるいは左右方向にきめ細かに区画できる商品陳列台の開示が望まれていた。
【０００４】
従って、本考案の目的は、従来のものよりも更に種々の陳列形態の陳列面を形成できると共に、陳列商品を前後方向あるいは左右方向にきめ細かに区画できる商品陳列台を提供することにある。
【課題を解決するための手段】
【０００５】
かかる実情において、本考案者は、鋭意検討を行った結果、矩形状の商品陳列面に、所定のピッチで前後方向に複数形成される横溝と、左右両側縁部に形成される縦溝とを有し、下端部にベース板の第１係合部に回動自在に係合する第２係合部を有する陳列基板と、第１係合部を表面に備えるベース板と、一端が該陳列基板の裏面の所定位置に着脱自在に嵌合し、他端が設置面に接地して該陳列基板の前方下り傾斜の陳列姿勢を支持する脚部とを備える商品陳列台であれば、従来のものよりも更に種々の陳列形態の陳列面を形成できると共に、横溝や縦溝に適宜、商品仕切り板を設置して、陳列商品を前後方向あるいは左右方向にきめ細かに区画できることなどを見出し、本考案を完成するに至った。
【０００６】
すなわち、本考案は、矩形状の商品陳列面と、該商品陳列面に前後方向に所定のピッチで複数形成される横溝と、左右両側縁部に形成される縦溝と、下端にベース板の第１係合部に回動自在に係合する第２係合部を有する陳列基板と、  該陳列基板の第２係合部と係合する第１係合部を上面に備えるベース板と、一端が該陳列基板の裏面の所定位置に着脱自在に嵌合し、他端が設置面に接地して該陳列基板の前方下り傾斜の陳列姿勢を支持する脚部とを備えることを特徴とする商品陳列台を提供するものである。
【０００７】
また、本考案は、前記横溝に、陳列商品を前後に仕切る商品仕切り板を、更に設置してなる前記商品陳列台を、また、本考案は、前記左右両側縁部の縦溝の一方又は双方に、陳列商品を左右に仕切る商品仕切り板を、更に設置してなる前記商品陳列台を、また、本考案は、前記陳列基板に着脱自在に設置される、外形が略三角柱であって、横置きで使用される補助陳列台を、更に備える前記商品陳列台を、また、本考案は、前記補助陳列台の商品陳列面に、左右方向に所定のピッチで複数形成される、三角形の頂点から所定の深さに切られた縦溝を、更に有する前記商品陳列台を、また、本考案は、前記陳列基板の縦溝の左右方向における外側又は内側には、該縦溝の底面と連続する係り止め底面を有し、該係り止め底面から上方に延びる前方縦部材と、該前方縦部材の上方から後方へ延びる水平部材とからなる側面視が横Ｌ字形状の第１係り止め部が、前後方向に所定のピッチで複数形成されている前記商品陳列台を、また、本考案は、前記補助陳列台の両側端の外側には、前記第１係り止め部と係合する第２係り止め部材が、前後方向に所定のピッチで複数形成されている前記商品陳列台を、また、本考案は、前記補助陳列台は、枠体構造であって、その左右の側枠の内側には、前記第１係り止め部と係合する第２係り止め部材が、前後方向に所定のピッチで複数形成されている前記商品陳列台を、また、本考案は、前記補助陳列台の該陳列基板への設置が、該補助陳列台の第２係り止め部を、該第１係り止め部と、該第１係り止め部に隣接する他の第１係り止め部との間の開口から入れ込み、更に前方へ移動して、該横Ｌ字形状の内側に入れる前記商品陳列台を、また、本考案は、前記ベース板と前記脚部は、略同じ厚さの板状物であって、前記脚部が該陳列基板から外され、該陳列基板が後方に倒され、該脚部を該陳列基板と該設置面の間に配設して、該陳列基板を水平姿勢に支持し、水平な商品陳列面を形成する前記商品陳列台を、また、本考案は、前記ベース板は、略矩形状であって、第１係合部を前後方向の中央よりやや後方又はやや前方に設置して、該第１係合部より前方のベース板面を商品陳列面とする前記商品陳列台を、また、本考案は、複数台を左右に並べて設置する前記商品陳列台を、それぞれ提供するものである。
【考案の効果】
【０００８】
本考案によれば、陳列基板は、ベース板に対して、水平姿勢から前方下りの急傾斜まで、広範囲の傾斜角度に設置することができ、従来のものよりも更に種々の陳列形態の陳列面を形成できると共に、横溝や縦溝に適宜、商品仕切り板を設置して、陳列商品を前後方向あるいは左右方向にきめ細かに区画できる。また、外形が略三角柱であって、横置きで使用される補助陳列台を、更に設置することにより、更に種々の陳列形態の陳列面を形成できる。
【考案を実施するための最良の形態】
【０００９】
本考案の第１の実施の形態における商品陳列台を図１〜図３を参照して説明する。図１は本例の商品陳列台の斜視図、図２は図１の商品陳列台の分解斜視図、図３は本例の商品陳列台の裏面から見た分解斜視図をそれぞれ示す。なお、図３中、商品仕切り板の記載は省略した。なお、本明細書において、商品を見る顧客側を「前」、その反対方向を「後」といい、左右方向は、顧客側から見た方向を言う。
【００１０】
商品陳列台１０ａは、陳列基板１、ベース板２及び脚部３の３つの部材を組みつけて構成される。また、更に任意の構成要素として、陳列商品を前後に仕切る商品仕切り板５、及び陳列商品を左右に仕切る商品仕切り板４を有する。
【００１１】
陳列基板１は、縦長の矩形状の商品陳列面１１と、商品陳列面１１に前後方向に所定のピッチで複数、図１では９つ形成される横溝１２と、左右両側縁部に形成される左右一対の縦溝１３と、下端にベース板２の第１係合部２４に回動自在に係合する第２係合部１５を有する。縦溝１３と横溝１２はそれぞれ連続溝であり、且つ縦溝１３と横溝１２は交点でも連続している。縦溝１３と横溝１２の溝幅及び溝深さは、商品仕切り板４、５が装着容易で且つ安定した装着ができる寸法で切られる。また、縦溝の左右方向の外側には、前後方向に所定のピッチで複数、図１では８つの係り止め部１４が形成されている。係り止め部１４は、第２の実施の形態における商品陳列台で使用する補助陳列台が係合する。また、陳列基板１の下端部は、先端をアール形状とすることにより、ベース板２に対して、回動を容易にしている。また、陳列基板１の下端部は、中央から左右両側寄りに、切り欠き部１７を有し、切り欠き部１７内に丸棒形状の第２係合部１５を配設している。本例の陳列基板１は、商品陳列面１１に、横溝１２、縦溝１３及び切り欠き部１７が形成されているものの、天面は面一であるため、商品の陳列に支障をきたすことはない。また、陳列基板１の裏面１８には、前後方向に所定のピッチで複数、図３では８つの係合横溝１９を有する。係合横溝１９は、脚部３の係合凸部３２が嵌る溝幅と溝深さを有している。なお、陳列基板１の形状としては、図１の形状に限定されず、正四角形、不定形状などが挙げられる。
【００１２】
ベース板２は、陳列基板１の下端を回動自在に支持すると共に、商品陳列面を形成する。すなわち、ベース板２は、本例では略矩形状であり、両側端には、同じ形状の商品陳列台１０ａを接続して並列配置できるよう、接続部となる凸部２３と凹部２２を有している。凸部２３には、他の商品陳列台の凹部が係合し、凹部２２には、他の商品陳列台の凸部が係合する。また、中央やや後方寄りには、陳列基板１の第２係合部１５と係合する第１係合部２４を上面に備える。第１係合部２４は一対の把持形状物であり、把持形状により、第２係合部１５の丸棒を挟持する。ベース板２の形状は、図１のものに限定されず、縦長形状、不定形状のものが挙げられる。ベース板２の第１係合部２４をベース板の中央やや後方寄り設置することにより、第１係合部２４より前方のベース板面を商品の陳列面として広く使用することができる。
【００１３】
脚部３は、上端が陳列基板１の裏面１８の係合横溝１９の所定の位置に着脱自在に嵌合し、下端が設置面６に接地して陳列基板１の前方下り傾斜の陳列姿勢を支持する脚部３とを備える。脚部３は、脚部本体３１と、脚部本体３１の上端の凸部３２を有し、凸部３２が陳列基板１の裏面１８の係合横溝１９に係合する。脚部３は、ベース板２と略同じ厚さの板状物であることが好ましい。これにより、脚部３が陳列基板１から外され、陳列基板１が後方に倒され、脚部３を陳列基板１と設置面６の間に配設すれば、陳列基板１を概ね水平姿勢に支持して、水平な商品陳列面を形成することができる。
【００１４】
商品陳列台１０ａにおいて、商品仕切り板４は縦溝１３に取り付けられ、陳列商品を左右方向に仕切ることができる。この場合、商品仕切り板４は陳列商品が左右両側から転落することも防止できる。また、商品仕切り板５は横溝１２に取り付けられ、陳列商品を前後方向に仕切ることができる。最前列の商品仕切り板５ａは、陳列商品が前方から転落することも防止できる。商品仕切り板４は縦溝１３の一方又は双方の取り付けて使用される。また、商品仕切り板５は複数の横溝１２の１つ又は２つ以上を組み合わせて使用することができる。また、大きな陳列基板１の場合、ひとつの横溝１２、縦溝１３のそれぞれに、短い商品仕切り板を複数個、配設することができる。
【００１５】
次ぎに商品陳列台１０ａの使用方法を図４〜図６を参照して説明する。図４は本例の商品陳列台の側面図、図５は本例の商品陳列台の他の側面図、図６は本例の他の商品陳列台の斜視図をそれぞれ示す。図４に示すように、商品陳列台１０ａは、脚部３の陳列基板１への設置位置により、前方下り傾斜の傾斜角度を、広範囲の傾斜角度に決定することができ、従来のものよりも更に種々の陳列形態の陳列面を形成できると共に、横溝や縦溝に適宜、商品仕切り板を設置して、陳列商品Ａを前後方向あるいは左右方向にきめ細かに区画できる。また、図５に示すように、脚部３を陳列基板１から外し、陳列基板１を後方に倒し、脚部３を陳列基板１と設置面６の間に配設して、陳列基板１を水平姿勢に支持すれば、水平な商品陳列面１１を形成することができる。また、商品陳列台１を複数、図６では３台設置し、これを左右に並べて設置すれば、横方向に広い商品陳列面を形成することができる。
【００１６】
次に、本考案の第２の実施の形態における商品陳列台１０ｂを図７〜図１２を参照して説明する。図７は本例の商品陳列台の斜視図、図８は図７で使用する補助陳列台の一部を拡大して示す斜視図、図９は補助陳列台の右側面図、図１０は、本例の商品陳列台に用いる陳列基板の左側縁部の一部を切断して示す斜視図、図１１は図１０の陳列基板の左側縁部の一部を示す平面図、図１２（Ａ）は図１１のＡ−Ａ線に沿って見た図、（Ｂ）は図１１のＢ−Ｂ線に沿って見た図をそれぞれ示す。図７〜図１２において、図１と同一構成要素には同一符号を付して、その説明を省略し、異なる点について説明する。すなわち、図７の商品陳列台１０ｂにおいて、図１と異なる点は、商品陳列台１０ａにおける陳列基板１の商品陳列面１１に補助陳列台７を３つ設置して、商品陳列面１１を階段状とした点にある。なお、図７中、商品仕切り板は図面簡略化のため、省略した。
【００１７】
補助陳列台７は、陳列基板１に着脱自在に設置される、外形が略三角柱であって、横置きで使用される。図７の補助陳列台７は略直角三角形断面で中は空洞の枠体構造である。すなわち、補助陳列台７は、三角形の底面が陳列面側となり、２つの斜面７１、７２で商品陳列面を構成する。２つの斜面７１、７２には、左右方向に所定のピッチで複数、本例では１１つの、底面７７を水平面に設置した状態で、三角形の頂点から垂直に所定の深さに切られた縦溝７３を有する。なお、斜面の中、長い斜辺部を有する斜面は主陳列面７１を形成し、他の斜面７２の交点からそのまま延長した庇部７６を有して、更に広い陳列面とするようになっている。また、左右両側端には、斜面で形成される陳列面から更に側方向に延長された面７１１を有し、ここにも縦溝７４を有している。これにより、補助陳列台７を陳列基板１に設置した場合、陳列基板１の縦溝１３と上下方向において、対向する位置となるため、両側端の商品仕切り板４の設置位置が変化せず、補助陳列台７を使用する前後において、違和感が生じない。
【００１８】
補助陳列台７の左右両側端には、陳列基板１に係合する第２係り止め部７５が形成されている。第２係り止め部７５は、矩形断面の突起形状であって、三角形の底辺７７１近傍よりに、底辺の長さ方向に所定のピッチで複数、本例では３つ設置されている。中央の突起７５ａは、その下端が底面まで延びたものであり、他の突起７５ｂは、上下方向の下半分が切りかかれたものである。突起７５ｂの下半分を切り欠いたことにより、陳列基板１に補助陳列台７が嵌り易くなる。
【００１９】
また、陳列基板１の縦溝１３の左右方向における外側には、縦溝１３の底面１３１と連続する係り止め底面１４１を有し、係り止め底面１４１から上方に延びる前方縦部材１４２と、前方縦部材１４２の上方から後方へ延びる水平部材１４１とからなる側面視が横Ｌ字形状の第１係り止め部１４が、前後方向に所定のピッチで、複数形成されている。なお、このピッチは第２係り止め部７５のピッチと同じ寸法である。隣接する第１係り止め部１４間で形成される開口１４４は、補助陳列台７の突起７５が入り込む入口であり、横Ｌ字形状のＬ字で形成される囲み部は、補助陳列台７の突起７５が嵌り込む空間である。
【００２０】
陳列基板１と補助陳列台７の嵌合解除方法及び嵌合方法を図１３（Ａ）〜（Ｃ）を参照して説明する。なお、図１３では、両者の嵌合方法などを理解し易くするため、補助陳列台を階段形状となる設置形態と、階段形状の設置形態を前後反転した設置形態の双方を同時に示した。陳列基板１と補助陳列台７の嵌合状態（図１３（Ａ））から嵌合を解除するには、補助陳列台７を陳列面に沿って上方移動させる（図１３（Ｂ））。この際、補助陳列台７の突起７５は、上方で且つ隣接する第１係り止め部１４の前方縦部材１４２に当たり移動が規制されると共に、当該隣接する第１係り止め部１４間で形成される開口１４４の位置にくる。この状態において、補助陳列台７を上方へ引き上げる。これにより、陳列基板１と補助陳列台７の嵌合状態が解除される。また、陳列基板１と補助陳列台７を嵌合させる方法は、上記解除方法と逆の方法をとればよい。すなわち、陳列基板１の縦溝１３に、補助陳列台７の枠体の側壁７１２を沿わせるようにしながら、補助陳列台７の突起７５ａを、隣接する第１係り止め部１４間で形成される開口１４４位置にもってくる。この際、補助陳列台７の突起７５ｂは下半分が切り欠かれているため、補助陳列台７の枠体の側壁７１２が縦溝１３に容易に嵌り、左右の位置決めがされるため、補助陳列台７の突起７５ａが対向する開口１４４に入りやすくなる。次いで、補助陳列台７を、図１３（Ｂ）の矢印とは反対方向、すなわち下方移動させれば、補助陳列台７の突起７５は第１係り止め部１４のＬ字の囲み内に嵌ることになる。このような嵌合解除方法及び嵌合方法をとれば、略平面板の陳列基板１に略三角柱の横置き形状物を容易に、しかも安定して確実に嵌合させることができる。特に、商品陳列台１０ｂにおいて、補助陳列台７は主陳列面の庇部に係る力により、陳列基板１から外れ易くなるものの、上記嵌合形態により、容易に外れることはない。
【００２１】
第１係り止め部１４及び第２係り止め部７５は、上記形態のものに限定されず、図２２〜図２４に示されるように、第１係り止め部１４が陳列基板１の縦溝１３の内側に、第２係り止め部７５が枠体構造の補助陳列台７の左右の側板の内側に、それぞれ形成されるものも使用できる。すなわち、第２係り止め部７５は、補助陳列台７の左右の側板７１２の内側に形成されている。また、陳列基板１の縦溝１３の左右方向における内側で、且つ陳列基板１の陳列面１１に連続して第１係り止め部１４が形成されている。
【００２２】
陳列基板１への補助陳列台７の設置形態としては、図７の形態の他、図１５及び図１６に示す設置形態が挙げられる。図１５の設置形態は、図７の設置形態において、補助陳列台７を陳列基台１の商品陳列面内において、１８０度反転（前後を反転）させたものである。また、図１６の設置形態は、図１５において、脚部３を外し、陳列基板１を後方へ倒し、陳列基板１と設置面６間に脚部３を介在させたものである。なお、図１４及び図１５においては、これに限定されず、商品仕切り板４を省略することができ、更に補助陳列台７の縦溝７３に商品仕切り板を設置することができる。また、図１６においては、これに限定されず、商品仕切り板４を補助陳列台７の縦溝７３に設置することができる。
【００２３】
次ぎに商品陳列台１０ｂの使用方法の一例を図１７に示す。商品陳列台１０ｂによれば、陳列基板１に３つの補助陳列台７を設置して、縦長商品Ｂを整然と陳列することができる。また、陳列基板１に２つの補助陳列台７を設置した図１８の場合、図１７同様に、幅広商品Ｃを整然と陳列することができる。
【００２４】
次ぎに商品陳列台１０ｃの使用方法の一例を図１９に示す。但し、図１９は、陳列基板１に２つの補助陳列台７を設置し、前方下り傾斜角度を急傾斜とした点、及びベース板２の第１係合部２４をベース板２の中央やや前方寄り設置した点にある。商品陳列台１０ｃによれば、陳列基板１に２つの補助陳列台７を設置して、長細い商品Ｄを整然と陳列することができる。また、図１９に比べて、前方下り傾斜角度を緩傾斜とした図２０の場合、図１９同様に、長細い商品Ｄに比べてやや幅広の商品Ｅを整然と陳列することができる。また、ベース板２の第１係合部２４をベース板２の中央やや前方寄り設置したため、前後方向における設置面積を小さくすることができる。
ものである
【００２５】
次ぎに商品陳列台１０ｄの使用方法の一例を図２１に示す。商品陳列台１０ｄによれば、設置面が通路のような場合、長細い商品Ｄを、顧客から見易く、整然と陳列することができる。
【００２６】
なお、商品陳列台１０ｂ〜１０ｄは、商品陳列台１０ａと同様に、複数台を横並びに設置することができる。これにより、横に広い陳列面を得ることができる。また、商品陳列台１０ｂ〜１０ｄは、商品陳列台１０ａと同様に、脚部３の陳列基板１への設置位置により、前方下り傾斜の傾斜角度を、広範囲の傾斜角度に設置することができ、従来のものよりも更に種々の陳列形態の陳列面を形成できると共に、横溝や縦溝に適宜、商品仕切り板を設置して、陳列商品を前後方向あるいは左右方向にきめ細かに区画できる。また、図２１に示すように、脚部３を陳列基板１から外し、陳列基板１を後方に倒し、脚部３を陳列基板１と設置面６の間に配設して、陳列基板１を水平姿勢に支持すれば、これまでにない、三角突起が繰り返される特有の商品陳列面を形成することができる。
【図面の簡単な説明】
【００２７】
【図１】第１の実施の形態例の商品陳列台の斜視図である。
【図２】図１の商品陳列台の分解斜視図である。
【図３】第１の実施の形態例の商品陳列台の裏面から見た分解斜視図である。
【図４】本例の商品陳列台の使用方法を説明する側面図である。
【図５】本例の他の商品陳列台の使用方法を説明する側面図である。
【図６】本例の他の実施の形態例の商品陳列台の斜視図である。
【図７】第２の実施の形態例の商品陳列台の斜視図である。
【図８】図７で使用する補助陳列台の一部を拡大して示す斜視図である。
【図９】補助陳列台の右側面図である。
【図１０】本例の商品陳列台に用いる陳列基板の左側縁部の一部を切断して示す斜視図である。
【図１１】図１０の陳列基板の左側縁部の一部を示す平面図である。
【図１２】（Ａ）が図１１のＡ−Ａ線に沿って見た図、（Ｂ）が図１１のＢ−Ｂ線に沿って見た図である。
【図１３】陳列基板と補助陳列台の嵌合解除方法及び嵌合方法を説明する図である。
【図１４】第２の実施の形態の変形例の商品陳列台の斜視図である。
【図１５】本例の他の商品陳列台の斜視図である。
【図１６】本例の他の商品陳列台の斜視図である。
【図１７】第２の実施の形態例の商品陳列台の使用方法を説明する図である。
【図１８】本例の他の商品陳列台の使用方法を説明する図である。
【図１９】本例の他の商品陳列台の使用方法を説明する図である。
【図２０】本例の他の商品陳列台の使用方法を説明する図である。
【図２１】本例の他の商品陳列台の使用方法を説明する図である。
【図２２】第２係り止め部の他の形態を説明する図である。
【図２３】第１係り止め部の他の形態を説明する図である。
【図２４】第１係り止め部の他の形態を説明する平面図である。
【符号の説明】
【００２８】
１      陳列基板
２      ベース板
３      脚部
４、５、５ａ〜５ｃ      商品仕切り板
６      設置面
７      補助陳列台
１０ａ〜１０ｄ  商品陳列台
１１      商品陳列面
１２、１９            横溝
１３、７３、７４      縦溝
１４      第１係り止め部
１５      第２係合部
１６      下端部
１７      切り欠き部
１８      裏面
２１      ベース板本体部
２４      第１係合部
７１      主陳列面
７５      突起（第２係り止め部）
１４１      水平部材
１４２      前方縦部材
１４４      開口
Ａ〜Ｅ      陳列商品
【図１】
0003120729.tif 000003
【図２】
0003120729.tif 000004
【図３】
0003120729.tif 000005
【図４】
0003120729.tif 000006
【図５】
0003120729.tif 000007
【図６】
0003120729.tif 000008
【図７】
0003120729.tif 000009
【図８】
0003120729.tif 000010
【図９】
0003120729.tif 000011
【図１０】
0003120729.tif 000012
【図１１】
0003120729.tif 000013
【図１２】
0003120729.tif 000014
【図１３】
0003120729.tif 000015
【図１４】
0003120729.tif 000016
【図１５】
0003120729.tif 000017
【図１６】
0003120729.tif 000018
【図１７】
0003120729.tif 000019
【図１８】
0003120729.tif 000020
【図１９】
0003120729.tif 000021
【図２０】
0003120729.tif 000022
【図２１】
0003120729.tif 000023
【図２２】
0003120729.tif 000024
【図２３】
0003120729.tif 000025
【図２４】
0003120729.tif 000026